(57)【要約】【課題】量産性に優れ安価な空気調和機の室内ユニットを提供する。【解決手段】本空気調和機の室内ユニットは、ファンモータが、このファンモータ側面突出部を保持し前記後板に固定させるモータバンドを備え、このモータバンドを中央部分より上部モータバンドと下部モータバンドに上下分割した構造とし、上部モータバンドにファンモータ側面のモータ駆動軸の端面を覆う遮蔽板、下部モータバンドにリード線を支持、ガイドするリード線ガイド片を備えると共に、遮蔽板部の周囲に空間を形成する。【選択図】  図２
2007187379.tif 000002
【特許請求の範囲】
【請求項１】
吸込口及び吹出口を備え、前面パネル及び後板とから構成されるユニット本体内の送風路に熱交換器と、ファンとファンモータが軸方向に連結してなる送風機とを配設した空気調和機の室内ユニットにおいて、前記ファンモータは、このファンモータ側面突出部を保持し前記後板に固定させるモータバンドを備え、このモータバンドを中央部分より上部モータバンドと下部モータバンドに上下分割した構造とし、前記上部モータバンドにファンモータ側面のモータ駆動軸の端面を覆う遮蔽板部、前記下部モータバンドにリード線を支持、ガイドするリード線ガイド部を備えると共に、前記遮蔽板部の周囲に空間を形成したことを特徴とする空気調和機の室内ユニット。
【発明の詳細な説明】
【技術分野】
【０００１】
本発明は空気調和機の室内ユニットに係り、特に送風機用のファンモータの取付構造を改良した空気調和機の室内ユニットに関する。
【背景技術】
【０００２】
従来、ユニット本体内に配置される熱交換器で、吸込口から吸い込んだ被空調空気を熱交換させた後、送風機により、送風路を介して吹出口から吹き出す空気調和機において、一側面に回転するモータ駆動軸の端面が露出したファンモータを固定する場合、露出したリード線がモータ駆動軸に接触して断線する危険性があるため、接触を防止するような配線を行なわなければならず、このため、製造時、接触防止のために、ファンモータを迂回する配線作業を行なったり、あるいはモータに保護用のカバーを取り付けるなどの対策が採られていた（例えば特許文献１参照）。
【０００３】
このため、モータを迂回する配線作業を伴う場合、配線が長くなる問題が生じ、またモータ側面を覆うと発熱により、周囲の温度上昇を招くといった問題が生じ、量産性に欠け、安全対策が必要となり高価になっていた。
【特許文献１】特開平９−２１５４４号公報
【発明の開示】
【発明が解決しようとする課題】
【０００４】
本発明は上述した事情を考慮してなされたもので、量産性に優れ安価な空気調和機の室内ユニットを提供することを目的とする。
【課題を解決するための手段】
【０００５】
上述した目的を達成するため、本発明に係る空気調和機の室内ユニットは、吸込口及び吹出口を備え、前面パネル及び後板とから構成されるユニット本体内の送風路に熱交換器と、ファンとファンモータが軸方向に連結してなる送風機とを配設した空気調和機の室内ユニットにおいて、前記ファンモータは、このファンモータ側面突出部を保持し前記後板に固定させるモータバンドを備え、このモータバンドを中央部分より上部モータバンドと下部モータバンドに上下分割した構造とし、前記上部モータバンドにファンモータ側面のモータ駆動軸の端面を覆う遮蔽板部、前記下部モータバンドにリード線を支持、ガイドするリード線ガイド部を備えると共に、前記遮蔽板部の周囲に空間を形成したことを特徴とする。
【発明の効果】
【０００６】
本発明に係る空気調和機の室内ユニットによれば、量産性に優れ安価な空気調和機の室内ユニットを提供することができる。
【発明を実施するための最良の形態】
【０００７】
以下、本発明に係る空気調和機の室内ユニットの一実施形態について添付図面を参照して説明する。
【０００８】
図１は本発明の一実施形態に係る空気調和機の室内ユニットの縦断面図である。
【０００９】
図１に示すように、本実施形態の空気調和機の室内ユニット１はユニット本体２を備え、このユニット本体２は前面パネル３と後板４とから構成される。
【００１０】
前面パネル３の前面には吸込パネル３ａが設けられ、この吸込パネル３ａの下部には下部吸込口３ｂが開口され、上面には上面グリル５が嵌め込まれた上部吸込口３ｃが開口され、下部にはルーバー３ｄを備えた吹出口３ｅが開口される。
【００１１】
ユニット本体２内には、吸込パネル３ａに対向して電気集塵機６が配置され、この電気集塵機６の下方には表示部７が設けられ、さらに、電気集塵機６の風下には逆Ｖ字状に形成された熱交換器８が配置される。
【００１２】
この熱交換器８は、下部吸込口３ｂと上部吸込口３ｃから吸い込まれた被空調空気が通過する前側熱交換器８Ａと、上部吸込口３ｃから吸い込まれた被空調空気が通過する後側熱交換器８Ｂから構成される。
【００１３】
さらに、熱交換器８と吹出口３ｅ間には送風路９が形成され、この送風路９内の熱交換器８の下方には、送風機１０が配置される。
【００１４】
この送風機１０は図５に示す横流ファン１１と、この横流ファン１１を回転させ、図７に示すリード線１２ａを備えたファンモータ１２からなり、吸込口３ｂ、３ｃから被空調空気を吸込んで熱交換器８で熱交換させた後、送風路９を介して吹出口３ｅから吹き出すようになっている。
【００１５】
図２及び図３に示すように、ファンモータ１２は、防振ゴム１３を介してモータ側面突出部１２ｂを挟持するモータバンド１４及びモータケース１２ｃを挟持するモータケースバンド部材１５を用いて後板４に固定される。
【００１６】
図４に示すように、モータバンド１４は、下部モータバンド１６と、この下部モータバンド１６とヒンジ部１４ａによって折り曲げ自在に連結された上部モータバンド１７とからなっている。
【００１７】
下部モータバンド１６は略々半円状をなし、その中央部は組立時、モータ側面突出部１２ｂのモータ取付スペース１４ｂが形成されるようにモータ取付部１６ａが設けられ、このモータ取付部１６ａは周囲にモータ側面突出部１２ｂの側面に当接される支持フランジ１６ｂが内側に向けて突出形成され、また、この支持フランジ１６ｂから離間して、モータ取付部１６ａを横切るように水平にリード線ガイド片１６ｃが設けられ、さらに、反ヒンジ部側の側部にはねじ止め係止片１６ｄが設けられ、また、下部にはモータバンド１４を後板４に固定するための２個の係止爪１６ｅが設けられる。
【００１８】
上部モータバンド１７は略々半円状をなし、その中央部は上記モータ取付スペース１４ｂが形成されるようにモータ取付部１７ａが設けられ、このモータ取付部１７ａは周囲にモータ側面突出部１２ｂの側面に当接される支持フランジ部１７ｂが内側に向けて突出形成され、また、モータ側面突出部１２ｂから離間し、モータ駆動軸１２ｄの端面に対向して、これを覆うように略々半円状の遮蔽板１７ｃが設けられ、この遮蔽板１７ｃはモータ取付部１７ａ内の空間を横切るように延びる細い板状部分でモータ取付部１７ａに支持されている。また、反ヒンジ部側の側部には下部モータバンド１６のねじ止め係止片１６ｄと接合して後板４に固定するためのねじ止め係止片１７ｅが設けられる。遮蔽板１７ｃを上部モータバンド１７にのみ設けることにより、金型構造の簡素化を図ることができる。
【００１９】
一方、室内送風機１０は、図５に示すような構成部品を組み立て、ユニット本体２に組み込まれる。なお、図５中矢印は室内送風機の組立と後板への組込み手順を示す。
【００２０】
例えば、室内送風機１０は、熱交換器８の幅寸法と同一の軸方向寸法の横流ファン１１と、この横流ファン１１の一側部側の端板１１ａにファンモータ１２のモータ駆動軸１２ｄを連結して構成し、横流ファン１１の他側部の端板１１ｂに突設させた支軸（図示せず）を軸受具１８の軸受け１８ａに枢支して、後板４の軸受取付部４ａに収容する。
【００２１】
さらに、モータケース１２ｃを後板４に設けられた取付凹部４ｂに収容し、半円状の挟持用凹部１５ａが設けられたモータケースバンド部材１５を用いて、後板４に固定する。また、モータ側面突出部１２ｂを、防振ゴム１３を介して図４に示すヒンジ部１４ａ及びねじ止め係止片１６ｄ、１７ｄを用いて下部モータバンド１６と上部モータバンド１７間で挟持し、２個の係止爪１６ｅ、１６ｅと共に、モータバンド１４を後板４に取り付け、ユニット本体２の通風路９内に配置される。
【００２２】
図６及び図７に示すように、モータ側面突出部１２ｂの側面に露出するモータ駆動軸１２ｄの端面は離間した状態で遮蔽板１７ｃにより覆われ、さらに、この遮蔽板１７ｃの周囲に空間部ｓを形成させてモータで生じる放熱を逃がすように構成しており、さらにファンモータ１２側面から延びるリード線１２ａは、遮蔽板１７ｃと離間しその外側に位置して設けられたリード線ガイド片１６ｃによって、支持、ガイドされるため、モータ側面に露出したモータ駆動軸１２ｄの端面との接触が防止されて、リード線１２ａの損傷や、熱的影響を受けることなく、安全に電装部品（図示せず）に導かれる。これにより、リード線とファンモータの接触を避けるために、リード線がファンモータを迂回する必要がなく、量産性が向上し安価になる。
【００２３】
上記のように、本実施形態の空気調和機の室内ユニットによれば、量産性に優れ安価な空気調和機の室内ユニットが実現される。
【図面の簡単な説明】
【００２４】
【図１】本発明に係る空気調和機の室内ユニットの縦断面図。
【図２】本発明に係る空気調和機の室内ユニットのモータバンド付近を示す斜視図。
【図３】本発明に係る空気調和機の室内ユニットの上部モータバンドを除去し、モータバンド付近を示す斜視図。
【図４】本発明に係る空気調和機の室内ユニットに用いられるモータバンドの展開図。
【図５】本発明に係る空気調和機の室内ユニットに用いられる送風機の組み込み手順図。
【図６】本発明に係る空気調和機の室内ユニットのモータバンド付近を拡大して示す斜視図。
【図７】本発明に係る空気調和機の室内ユニットの上部モータバンドを除去し、モータバンド付近を拡大して示す斜視図。
【符号の説明】
【００２５】
１…室内ユニット、２…ユニット本体、３…前面パネル、３ａ…吸込パネル、３ｂ…下部吸込口、３ｃ…上部吸込口、３ｅ…吹出口、４…後板、８…熱交換器、９…送風路、１０…送風機、１１…横流ファン、１２…ファンモータ、１２ａ…リード線、１２ｂ…モータ側面突出部、１２ｃ…モータケース、１２ｄ…モータ駆動軸、１３…防振ゴム、１４…モータバンド、１４ａ…ヒンジ部、１４ｂ…モータ取付スペース、１５…モータケースバンド部材、１６…下部モータバンド、１６ａ…モータ取付部、１６ｂ…支持フランジ、１６ｃ…リード線ガイド片、１６ｄ…ねじ止め係止片、１６ｅ…係止爪、１７…上部モータバンド、１７ａ…モータ取付部、１７ｂ…支持フランジ、１７ｃ…遮蔽板、１７ｄ…ねじ止め係止部、ｓ…空間部。
【図１】
2007187379.tif 000003
【図２】
2007187379.tif 000004
【図３】
2007187379.tif 000005
【図４】
2007187379.tif 000006
【図５】
2007187379.tif 000007
【図６】
2007187379.tif 000008
【図７】
2007187379.tif 000009